(57)【特許請求の範囲】
【請求項１】
浴室内の天井及び壁面に温水等を循環する循環パイプを形成している浴室内に設置される浴室乾燥装置であって、循環パイプと接続される加熱手段を有し、加熱手段を介して暖房及び乾燥用として浴室内に送風する送風手段と浴室内の換気を行う換気手段を有した乾燥機本体の前面部に前カバーを着脱自在に取着し、浴室の壁面に換気手段の端部が挿通配置される開口部を設け、外形を上記開口部より小さく形成した補強板を壁面裏面に配置し、この補強板と壁面内面に配置した本体取付金具とを壁材を介して固着具にて連結固定し、この本体取付金具の基板の上部に上方に向けて突出する上連結片を設けると共にこの基板の下部に基板と略直交して突出する下連結片を設け、乾燥機本体の背面部の上部に設けた引っ掛け片を上連結片に係止させて乾燥機本体を取付位置に案内したときに乾燥機本体の背面部の下部に設けた引っ掛け片が下連結片に係止するようにして、乾燥機本体を壁面に着脱自在に取着して成ることを特徴とする浴室乾燥装置。
【請求項２】
浴室内の温度を監視・コントロールする温度センサーを備え、この温度センサーを乾燥機本体に設けられた電源ブロックの換気ブロック取付側に配置して成ることを特徴とする請求項１記載の浴室乾燥装置。
【請求項３】
衣類の乾燥において、リモコン操作により衣類量を入力することにより浴室回りの環境条件を温度センサーの温度上昇カーブから乾燥時間を設定して運転する制御回路を備えて成ることを特徴とする請求項２記載の浴室乾燥装置。
【請求項４】
温度上昇カーブ中の一時的温度低下を無視して運転する制御回路を備えて成ることを特徴とする請求項３記載の浴室乾燥装置。
【発明の詳細な説明】
【０００１】
【産業上の利用分野】
本発明は、浴室内を暖房・乾燥室として機能させることができる浴室乾燥装置に関するものである。
【０００２】
【従来の技術】
従来より浴室の天井部等に設置されて浴室内を乾燥室として機能させる浴室乾燥装置が提供されている。これは、浴室内の空気を循環させる循環ファンと循環空気を加熱する加熱部、そして換気部とからなるものとして構成されており、これらは乾燥機本体内に納められた状態で天井裏等から設置されていた。
【０００３】
【発明が解決しようとする課題】
しかし、上述のような従来例にあっては、電気配線、温水配管等を行う場合、浴室ユニットの点検口から作業を行ったり、点検口がない浴室では浴室の天井裏空間が狭くて天井裏に作業者が入ることができず、作業ができない場合が多々ある。
【０００４】
また、乾燥運転を自動で行う場合、温度センサーを用いて制御を行うものであるが、温度センサーを初めとして制御回路が複雑且つ高価であり、普及型の商品には用いることが難しいという問題があった。
本発明は上記問題点の解決を目的とするものであり、浴室内への設置を手間取ることなく簡単に行うことができる浴室乾燥装置を提供しようとするものである。
【０００５】
【課題を解決するための手段】
上記目的を達成するために、本発明では、浴室内の天井及び壁面に温水等を循環する循環パイプを形成している浴室内に設置される浴室乾燥装置であって、循環パイプと接続される加熱手段を有し、加熱手段を介して暖房及び乾燥用として浴室内に送風する送風手段と浴室内の換気を行う換気手段を有した乾燥機本体の前面部に前カバーを着脱自在に取着し、浴室の壁面に換気手段の端部が挿通配置される開口部を設け、外形を上記開口部より小さく形成した補強板を壁面裏面に配置し、この補強板と壁面内面に配置した本体取付金具とを壁材を介して固着具にて連結固定し、この本体取付金具の基板の上部に上方に向けて突出する上連結片を設けると共にこの基板の下部に基板と略直交して突出する下連結片を設け、乾燥機本体の背面部の上部に設けた引っ掛け片を上連結片に係止させて乾燥機本体を取付位置に案内したときに乾燥機本体の背面部の下部に設けた引っ掛け片が下連結片に係止するようにして、乾燥機本体を壁面に着脱自在に取着して成ることを特徴とするものである。
【０００７】
また、浴室内の温度を監視・コントロールする温度センサーを備え、この温度センサーを乾燥機本体に設けられた電源ブロックの換気ブロック取付側に配置することも好ましい。
また、衣類の乾燥において、リモコン操作により衣類量を入力することにより浴室回りの環境条件を温度センサーの温度上昇カーブから乾燥時間を設定して運転する制御回路を備えることも好ましい。
【０００８】
また、温度上昇カーブ中の一時的温度低下を無視して運転する制御回路を備えることも好ましい。
【０００９】
【作用】
しかして、前カバーを外すことで乾燥機本体全体を壁面より外すことなく乾燥機本体内部の部品のメンテナンスを行うことができるものであり、乾燥機本体の取付工事及び機能部品のメンテナンス、配管、配線工事が浴室内から行うことができ、広い作業スペースで作業を手間取ることなく簡単に行うことができる。また、本体取付金具の基板の上部に上方に向けて突出した上連結片に乾燥機本体の背面部の上部の引っ掛け片を係止させることで、取付位置に案内させて乾燥機本体を壁面に着脱自在に取着することができ、乾燥機本体の壁面への取付作業を手間取ることなく簡単に行うことができる。また、壁面に換気手段の端部が挿通配置される開口部を設け、壁面裏面に配置された補強板と壁面内面に配置された本体取付金具とを壁材を介して固着具にて連結固定し、補強板の外形を上記開口部より小さいものとしてあるので、ユニットバス等の薄い壁面であると共に壁面の裏面側にわずかな作業スペースしかない場合であっても補強材によって裏補強を行うことができるものであり、強度の高い取付けを行うことができるものである。
【００１０】
【実施例】
以下、本発明を図示された実施例に基づいて詳述する。
乾燥機本体１は浴室２内の壁面に温水等を循環する循環パイプ３を形成している浴室２内に設置されるものであって、正面下部が開口するハウジング４と、このハウジング４内に収納される送風手段としての循環ファンブロック５、循環パイプ３と接続される加熱手段としての熱交換器６、換気手段としての換気ファンブロック７、電源ブロック８を備えて主体が構成されている。
【００１１】
ハウジング４の正面には前カバーとしてのグリル板９が装着されるようになっており、グリル板９には吹き出し口ルーバー１０と、着脱自在な着脱ルーバー１１が取付けられるようになっている。
グリル板９はグリル板９下部に設けられた取付ネジ１２を外すことにより吹き出し口ルーバー１０と、着脱ルーバー１１が付いた状態でハウジング４から外すことができるようになっている。
【００１２】
ハウジング４内は仕切り板１３によって２室に仕切られており、一方側に循環ファンブロック５と電源ブロック８が収納配置され、他方側に熱交換器６が収納配置されている。熱交換器６は例えば、貯湯器等のボイラー１４から供給される高温の湯との間の熱交換で循環ファンブロック５で循環する浴室内空気を加熱するものである。
【００１３】
熱交換器６、循環ファンブロック５、電源ブロック８、換気ファンブロック７は図５に示されるようにそれぞれ取付ネジ１５によってハウジング４の前面側に取付けられており、各取付ネジ１５を外すことによってハウジング４の前面方向に取り外すことができるようになっている。つまり、熱交換器６、循環ファンブロック５、電源ブロック８、換気ファンブロック７等の機能部品及び電気配線１６やボイラー１４からの温水配管１７等の接続作業はハウジング４を壁面１８より取り外さなくても浴室２内側より着脱作業を行うことができるようになっている。
【００１４】
図６に温水配管１７の接続状態が示され、図７に電気配線１６の接続状態が示され、図８に換気ファンブロック７の着脱状態図が示されている。
温水配管１７はＬ型継手のフレアナット１９と熱交換器６のフレアユニオン２０で接続されており、フレアナット１９を外すことにより取り外すことができるようになっている。
【００１５】
電気配線１６はハウジング４内に引き込まれ、カプセル端子等で電気的に接続されており、浴室２内側からの作業が行えるようになっている。
換気ファンブロック７は端部に接続筒２１が設けられており、この接続筒２１は換気ファンブロック７を取付ネジ１５にてハウジング４に連結固定した状態でハウジング４の挿通孔４ａ内に挿通されると共に浴室２の壁面１８に設けられた開口部１８ａ内に挿入配置されるようになっている。この開口部１８ａに挿入配置される接続筒２１には換気ダクトが接続される。
【００１６】
乾燥機本体１は結合部材２２を介して壁面１８に着脱自在に取着されており、結合部材２２を介して乾燥機本体１を壁面１８に引っ掛け固定することができるようになっている。
結合部材２２は壁面１８に取着される本体取付金具２３と、乾燥機本体１を構成するハウジング４の背面部に設けられた引っ掛け片３１とで主体が構成されている。
【００１７】
壁面１８に取着される本体取付金具２３は図１２に示されるように隣合うように一対設置されるものであり、壁面１８の裏面側に配置された補強板２５と本体取付金具２３とを壁材を挟んで固着具２６にて連結することで壁面１８に取付けられている。上記補強板２５は壁面１８に設けられた換気ファンブロック７の端部の接続筒２１を挿通配置するための開口部１８ａ内を通すことができる大きさとされており、壁面１８裏面側への配置は開口部１８ａを介して行うことができるようになっている。つまり、最近のユニットバスのように浴室壁の裏面側に作業スペースがわずかしか形成されていない場合であっても、換気ファンブロック７の端部の接続筒２１を挿通配置するための開口部１８ａを介して浴室２内より壁の裏面側に補強板２５を配置して補強板２５を用いながら本体取付金具２３の取付けを行うことができるようになっている。
【００１８】
本体取付金具２３は壁面１８に固着される基板２７の上部より斜め上方に向けて上連結片２８を突設すると共に、基板２７の下部より基板２７と直交するように外方に向けて下連結片２９を突設して主体が構成されており、上連結片２８には図１０、図１１に示されるように連結孔３０が設けられている。また、下連結片２９にも連結孔３０が設けられている。
【００１９】
ハウジング４の背面部に設けられる引っ掛け片３１はハウジング４の背面部の上部と下部にそれぞれ設けられており、各引っ掛け片３１からは下方に向けて突出するように部分的に引っ掛け突片３２が突設されている。
そして、ハウジング４を壁面１８に引っ掛け係止するにあたっては、先ず、図１３（ａ）に示されるように上部の引っ掛け片３１を上連結片２８に係止し、図１３（ｂ）に示されるようにハウジング４を少し持ち上げるようにしてハウジング４の下部を壁面１８側に押し付け、次いで図１３（ｃ）に示されるようにハウジング４を下方に落とし込むことによって各引っ掛け片３１の引っ掛け突片３２が各連結片２８，２９の連結孔３０に挿入係止されてハウジング４が結合部材２２を介して壁面１８に引っ掛け係止されるものであり、壁面１８への乾燥機本体１の設置を浴室２内側から手間取ることなく簡単に行うことができるようになっている。また、前カバーとしてのグリル板９を外すことで乾燥機本体１全体を壁面１８より外すことなく乾燥機本体１内部の機能部品のメンテナンスを行うことができるものであり、乾燥機本体１の取付工事及び機能部品のメンテナンス、配管、配線工事が浴室２内から行うことができ、広い作業スペースで作業を手間取ることなく簡単に行うことができるようになっている。ここで、上連結片２８は斜め上方に向けて突設されており、この斜め上方に向けて突出する上連結片２８によって上部の引っ掛け片３１を係止した場合には乾燥機本体１が取付位置としての壁面１８側に向けてガイドされるものであり、上連結片２８が乾燥機本体１を取付位置に案内する案内部として作用するものである。
【００２０】
浴室２内の温度を監視している温度センサー３３は図１５に示されるように電源ブロック８の換気ファンブロック７取付け側に設けられており、乾燥運転の場合には循環ファンブロック５と、換気ファンブロック７が同時に運転される為、屋外に排気される温風を検知できるようになっている。暖房運転時は循環ファンブロック５のみになる為、グリル板９から吸い込まれた温風を循環ファンブロック５で吸い込まれるまでに検知できるようになっている。換気運転の場合には換気ファンブロック７のみの運転のため、換気ファンブロック７の近くで室温を検知する必要があり、結果的に換気ファンブロック７に近くて電気的にもノイズの関係から電源ブロック８の近くに設けることが最適位置となる。
【００２１】
衣類乾燥を温度センサー３３による自動運転とする場合、仮に図１７のように洗濯物の量による目安を重量で決めた場合、図１６に示されるリモコン３４で衣類量切り替えスイッチで「多」を選択したとすると、表１に示されるように仮に乾燥前の浴室温度が２０℃で乾燥運転時の立ち上がり時間が２２〜２３分のエリアであったとすると、乾燥時間は２２０分と自動的に設定される。
【００２２】
【表１】
0003616424.tif 000002
【００２３】
立ち上がり時間は図１８で示されるように数分間隔に温度上昇値ΔＴを比較してΔＴ≦Ｘが数回検出された時を飽和値としてそこまでの時間を立ち上がり時間としている。
立ち上がり時間は浴室２の広さ、外気温度、浴室２の材質によって変動するが、これらは温度上昇値で確認できる。
【００２４】
乾燥機本体１は熱源をボイラー１４で行っているために、ボイラー１４の燃焼状態及び他の負荷を動かした時に図１９に示されるように温度上昇値が部分的にマイナスになる場合がある。この場合には以下のようなソフト処理を行っている。
ΔＴがマイナスになる場合には以下の処理を行う。
【００２５】
（ａ）  ΔＴ＜−α
（ｂ）  −α≦ΔＴ＜０
ΔＴがマイナスになる場合において図２０（ａ）に示されるようにマイナスの度合いが大きい場合には期間ａの間は立ち上がり時間としない。よって、ウの値を検出後、ΔＴを調べる。
【００２６】
ΔＴがマイナスになる場合において図２０（ｂ）に示されるようにマイナスの度合いが小さい場合には期間ｂの間はすべて立ち上がり時間とする。しかしイの値は捨てて、ウの値の時はアの値と比較する。浴室乾燥は浴室２内のカビの発生防止も兼ねており、浴室２内の水分は物質と結合している結合水と、物質の中と外を自由に往来できる自由水とに分けられ、カビが生育に利用できる水はこの内の自由水だけであると言われている。
【００２７】
この自由水の一般的カビが生育に必要な値を水分活性値として表し、最低水分活性値は０．８以下であると言われている。
ここで、水分活性をＡＷとし、水溶液もしくはサンプル水の水蒸気圧をＰとし、同じ温度での純水の蒸気圧をＰＯとした場合、ＡＷ＝Ｐ／ＰＯのような式が成り立つ。
【００２８】
この最低水分活性値が０．８以下になるように浴室を乾燥させるための時間を表２にて示している。
【００２９】
【表２】
0003616424.tif 000003
【００３０】
【発明の効果】
本発明は、浴室内の天井及び壁面に温水等を循環する循環パイプを形成している浴室内に設置される浴室乾燥装置であって、循環パイプと接続される加熱手段を有し、加熱手段を介して暖房及び乾燥用として浴室内に送風する送風手段と浴室内の換気を行う換気手段を有した乾燥機本体の前面部に前カバーを着脱自在に取着したので、前カバーを外すことで乾燥機本体全体を壁面より外すことなく乾燥機本体内部の部品のメンテナンスを行うことができるものであり、乾燥機本体の取付工事及び機能部品のメンテナンス、配管、配線工事が浴室内から行うことができ、広い作業スペースで作業を行うことができるものである。また、浴室の壁面に取着した本体取付金具の基板の上部に上方に向けて突出する上連結片を設けると共にこの基板の下部に基板と略直交して突出する下連結片を設け、乾燥機本体の背面部の上部に設けた引っ掛け片を上連結片に係止させて乾燥機本体を取付位置に案内したときに乾燥機本体の背面部の下部に設けた引っ掛け片が下連結片に係止するようにして、乾燥機本体を壁面に着脱自在に取着したので、乾燥機本体の壁面への取付作業を手間取ることなく簡単に行うことができるものである。また、壁面に換気手段の端部が挿通配置される開口部を設け、壁面裏面に配置された補強板と壁面内面に配置された本体取付金具とを壁材を介して固着具にて連結固定し、補強板の外形を上記開口部より小さいものとしてあるので、ユニットバス等の薄い壁面であると共に壁面の裏面側にわずかな作業スペースしかない場合であっても補強材によって裏補強を行うことができるものであり、強度の高い取付けを行うことができるものである。
【００３２】
また、浴室内の温度を監視・コントロールする温度センサーを備え、この温度センサーを乾燥機本体に設けられた電源ブロックの換気ブロック取付側に配置してあると、一か所で集中管理を行うことにより、温度センサーの使用数を少なくすることができると共に平均的な室内温度を検知することができるものであり、さらに電気的ノイズに強いものとすることができるものである。
【００３３】
また、衣類の乾燥において、リモコン操作により衣類量を入力することにより浴室回りの環境条件を温度センサーの温度上昇カーブから乾燥時間を設定して運転する制御回路を備えるようにしてあると、温度センサーによる安価な自動運転制御が可能となるものである。
また、温度上昇カーブ中の一時的温度低下を無視して運転する制御回路を備えるようにしてあると、温度センサー運転において、乾燥機本体に温水を送る熱源ボイラーの動作状態に関係なく制御することができるものである。
【図面の簡単な説明】
【図１】本発明の全体構成を示す概略斜視図である。
【図２】内部構成を示す乾燥機本体の正面図である。
【図３】図２におけるＡ−Ａ線断面図である。
【図４】図２におけるＢ−Ｂ線断面図である。
【図５】同上の分解斜視図である。
【図６】（ａ）（ｂ）は温水配管の配置状態を説明する説明図である。
【図７】電気配線の配置状態を説明する説明図である。
【図８】換気ファンブロックの作用を説明する説明図である。
【図９】温水配管、電気配線、換気ファンブロックの配置状態を説明する説明図である。
【図１０】結合部材の配置状態を示すものであり、（ａ）は部分正面図、（ｂ）は（ａ）におけるＣ−Ｃ線断面図である。
【図１１】受け金具を示すものであり、（ａ）は一部省略した正面図、（ｂ）は側面図である。
【図１２】結合部材の配置状態を説明する説明図である。
【図１３】（ａ）（ｂ）（ｃ）は乾燥機本体の取付手順を説明する説明図である。
【図１４】補強板の配置状態を説明する説明図である。
【図１５】温度センサーの配置状態を示す部分斜視図である。
【図１６】リモコンの正面図である。
【図１７】（ａ）（ｂ）（ｃ）は洗濯物の量による目安を説明する説明図である。
【図１８】立ち上がり時間を説明する説明図である。
【図１９】温度上昇値の変化を説明する説明図である。
【図２０】（ａ）（ｂ）は温度上昇値の変化を説明する説明図である。
【符号の説明】
１  乾燥機本体
２  浴室
３  循環パイプ
１８  壁面
１８ａ  開口部
２２  結合部材
２５  補強板
【図１】
0003616424.tif 000004
【図２】
0003616424.tif 000005
【図３】
0003616424.tif 000006
【図４】
0003616424.tif 000007
【図５】
0003616424.tif 000008
【図６】
0003616424.tif 000009
【図７】
0003616424.tif 000010
【図８】
0003616424.tif 000011
【図９】
0003616424.tif 000012
【図１０】
0003616424.tif 000013
【図１１】
0003616424.tif 000014
【図１２】
0003616424.tif 000015
【図１３】
0003616424.tif 000016
【図１４】
0003616424.tif 000017
【図１５】
0003616424.tif 000018
【図１６】
0003616424.tif 000019
【図１７】
0003616424.tif 000020
【図１８】
0003616424.tif 000021
【図１９】
0003616424.tif 000022
【図２０】
0003616424.tif 000023